(57)【要約】【課題】十分な絶縁性を有し安全性が高く、かつ、軽量で扱い易い絶縁防護具を提供する。【解決手段】電気設備に取付けて感電のリスクを低減するための絶縁防護具に於て、表裏層に外皮１，１を有し、中間層が２．０ｍｍ〜３．０ｍｍの厚さ寸法ｔ１の可撓性発泡体２から成る絶縁性シート体３をもって構成され、電気設備に被覆自在としている。【選択図】図１
2015080371.tif 000002
【特許請求の範囲】
【請求項１】
電気設備に取付けて感電のリスクを低減するための絶縁防護具に於て、
表裏層に外皮（１）（１）を有し、中間層が２．０ｍｍ〜３．０ｍｍの厚さ寸法（ｔ１）の可撓性発泡体（２）から成る絶縁性シート体（３）をもって構成され、上記電気設備に被覆自在としたことを特徴とする絶縁防護具。
【請求項２】
電気設備に取付けて感電のリスクを低減するための絶縁防護具に於て、
２．０ｍｍ〜３．０ｍｍの厚さ寸法（ｔ２）に設定され、絶縁性発泡体（４）をもって構成され、上記電気設備に着脱自在としたことを特徴とする絶縁防護具。
【請求項３】
電気設備に取付けて感電のリスクを低減するための絶縁防護具に於て、
２．０ｍｍ〜３．０ｍｍの厚さ寸法（ｔ２）に設定され、周方向の１箇所で離間して弾発的に拡開自在とした筒状の絶縁性発泡体（４）をもって構成され、上記電気設備に外嵌状に着脱自在としたことを特徴とする絶縁防護具。
【発明の詳細な説明】
【技術分野】
【０００１】
本発明は、絶縁防護具に関する。
【背景技術】
【０００２】
従来、建造物の改築や外壁塗装工事等の作業を行う際、作業者は、電柱に架設された送電線から建造物に引き込まれる低圧引込線や低圧引込線を建造物に引き留めるための引留碍子に接近して作業をしなければならない状況があった。そこで、合成樹脂製の電線防護管と絶縁防護カバーで、低圧引込線と引留碍子を覆って、作業者の感電の危険を回避して安全を確保していた（特許文献１参照）。
【先行技術文献】
【特許文献】
【０００３】
【特許文献１】特開２０１２−７５２３７号公報
【発明の概要】
【発明が解決しようとする課題】
【０００４】
しかし、特許文献１記載の従来の絶縁防護カバーは、筒状に形成され、その内部に引留碍子を収容して必要最小限の範囲で覆うことができる程度の大きさに形成されていた。よって、形状やサイズの異なる引留碍子の種類の変化には対応することができず、大小多種の絶縁防護カバーを用意する必要があった。
また、電気設備の周囲を覆って確実に絶縁保護するためには、少なくとも２ｍｍ以上の厚さ寸法が必要となり、引留碍子を収容する絶縁防護カバーや低圧引込線に取着される電線防護管等の重量が重くなり、作業性が悪かった。また、２ｍｍ以上の厚さ寸法の合成樹脂から成る絶縁防護カバーや電線防護管は、強張って柔軟性がなく使い勝手が悪かった。また、合成樹脂の原料費が多くかかり、コストが増大するという欠点があった。
【０００５】
そこで、本発明は、十分な絶縁性を有し安全性が高く、かつ、軽量で扱い易い絶縁防護具を提供することを目的とする。
【課題を解決するための手段】
【０００６】
本発明に係る絶縁防護具は、電気設備に取付けて感電のリスクを低減するための絶縁防護具に於て、表裏層に外皮を有し、中間層が２．０ｍｍ〜３．０ｍｍの厚さ寸法の可撓性発泡体から成る絶縁性シート体をもって構成され、上記電気設備に被覆自在としたものである。
【０００７】
また、電気設備に取付けて感電のリスクを低減するための絶縁防護具に於て、２．０ｍｍ〜３．０ｍｍの厚さ寸法に設定され、絶縁性発泡体をもって構成され、上記電気設備に着脱自在としたものである。
また、電気設備に取付けて感電のリスクを低減するための絶縁防護具に於て、２．０ｍｍ〜３．０ｍｍの厚さ寸法に設定され、周方向の１箇所で離間して弾発的に拡開自在とした筒状の絶縁性発泡体をもって構成され、上記電気設備に着脱自在としたものである。
【発明の効果】
【０００８】
本発明の絶縁防護具によれば、十分な厚さ寸法を確保しつつ柔軟（フレキシブル）で、引留碍子等の電気設備に巻き付けて覆うことができ、電気設備を確実に絶縁保護して安全性を向上できる。軽量で、かつ、引張強度が高く、取り扱い容易で使い勝手が良い。引留碍子の形状やサイズが異なる場合であっても、その周囲を被覆でき、複数種類の電気設備にも対応して、感電事故を防止できる。
また、十分な厚さ寸法を確保しつつ柔軟（フレキシブル）で、引込線や送電線等の電線に取付けることができ、電気設備を確実に絶縁保護して安全性を向上できる。軽量で、取り扱い容易であり、使い勝手が良い。電線の径が異なる場合であっても、その周囲を外嵌状に被覆でき、感電事故を防止できる。
【図面の簡単な説明】
【０００９】
【図１】本発明の実施の一形態を示した拡大断面図である。
【図２】本発明の絶縁防護具の使用例を示した斜視図である。
【図３】本発明の他の実施形態を示した拡大断面図である。
【図４】本発明の絶縁防護具の他の使用例を示した斜視図である。
【図５】電気設備の一例を示した簡略図である。
【発明を実施するための形態】
【００１０】
以下、実施の形態を示す図面に基づき本発明を詳説する。
本発明の絶縁防護具は、電線や、引留碍子、配電器具等の電気設備に取付けられ、作業者の感電のリスクを低減するために設けられている。適用される電気設備としては、例えば、図５に示すように、電柱５０に架設された送電線４９から建造物４０に引き込まれる低圧引込線４１に外嵌状に取付け、又は、低圧引込線４１を建造物４０に引き留めるための引留碍子４２と建造物４０に固着されるブラケット等の（低圧側）電気設備４５に、包囲状として取付けられる。なお、本発明の絶縁防護具は、引込線４１を電柱５０に引き留めるための引留碍子４７や送電線４９に取り付けても良い。
【００１１】
図１に示すように、本発明の絶縁防護具は、表裏層に外皮１，１を有し、中間層が２．０ｍｍ〜３．０ｍｍの厚さ寸法ｔ１の可撓性発泡体２から成る絶縁性シート体３をもって構成されている。
可撓性発泡体２は、ＥＰＤＭやブチルゴム等のゴム、又は、ＥＶＡやＰＥ（ポリエチレン）等の合成樹脂から成り、発泡倍率は、１．５倍〜３０倍である。可撓性発泡体２は、微小な気泡２０が独立して多数形成された独立気泡（発泡）体であって、吸水性は無く、厚み方向に電気を通さない絶縁性を有している。
外皮１，１は、例えば、ターポリンシートのような軽量で且つ丈夫な薄い布が用いられ、面方向に引っ張っても伸縮することがなく、引張強度が十分に高いものが望ましい。外皮１，１は、可撓性発泡体２の表裏面に接着され、可撓性発泡体２が（面方向へ）引っ張られるのを防止している。
【００１２】
図２に示すように、絶縁性シート体３は、電気設備４５に被覆自在である。
図２に於て、電気設備４５は、低圧引込線４１を建造物４０に引き留めるための引留碍子４２と引留碍子４２を保持するブラケット４３、並びに、低圧引込線４１の一部と宅内引込線等を包含する。絶縁性シート体３は、前記電気設備４５の全体を覆うように被せて巻き付けられ、絶縁粘着テープ４６によって固定されている。なお、合成樹脂製の絶縁クリップや係止バンド等の留め具を用いて、絶縁性シート体３を電気設備４５に取着しても良い。なお、図示省略するが、絶縁性シート体３は、図５の電柱５０側の引留碍子４７を被覆する際も、同様に電気設備全体を覆うように被せて巻き付け、絶縁粘着テープによって固定する。
【００１３】
次に、本発明の絶縁防護具の他の実施形態について説明する。
図３に示すように、電気設備に取付けて感電のリスクを低減するための絶縁防護具に於て、２．０ｍｍ〜３．０ｍｍの厚さ寸法ｔ２に設定され、（周方向の１箇所で離間して弾発的に拡開自在とした筒状の）絶縁性発泡体４をもって構成されている。
絶縁性発泡体４は、ＥＰＤＭやブチルゴム等のゴム、又は、ＥＶＡやＰＥ（ポリエチレン）等の合成樹脂から成り、発泡倍率は、１．３倍〜２０倍である。絶縁性発泡体４は、微小な気泡２０が独立して多数形成された独立気泡（発泡）体であって、吸水性は無く、厚み方向に電気を通さない絶縁性を有している。絶縁性発泡体４の形状としては、周方向の１箇所に設けられた切離部で切り離された円筒部１４と、円筒部１４の切離部に延設されラジアル外方向に突出状の一対の突出片１５，１５とを、有している。なお、円筒部１４の切離部には、内周面に沿って突設される短寸の小片部１６が形成されている。
【００１４】
図３に示すように、絶縁性発泡体４は、低圧引込線４１に外嵌状に着脱自在である。
絶縁性発泡体４は、低圧引込線４１を突出片１５，１５の間に挟み込んで円筒部１４を拡開しつつ押し込んで、低圧引込線４１の周囲を覆うように遊嵌状（外嵌状）に取付けられている。
なお、図示省略するが、絶縁性発泡体４は、図５に示す送電線４９に取付けることもでき、送電線４９に取付ける際も、同様に送電線４９を突出片１５，１５の間に押し込んで遊嵌状（外嵌状）に取付ける。
【００１５】
なお、本発明は、設計変更可能であって、例えば、絶縁性発泡体４は、各種の形状やサイズに変更自由である。さらには、絶縁性発泡体４をシート状とすることも可能であって、図１に示す外皮１，１を省略した構成としても良い。
【００１６】
以上のように、本発明に係る絶縁防護具は、電気設備に取付けて感電のリスクを低減するための絶縁防護具に於て、表裏層に外皮１，１を有し、中間層が２．０ｍｍ〜３．０ｍｍの厚さ寸法ｔ１の可撓性発泡体２から成る絶縁性シート体３をもって構成され、電気設備に被覆自在としたので、十分な厚さ寸法を確保しつつ柔軟（フレキシブル）で、引留碍子４２等の電気設備に巻き付けて覆うことができ、電気設備を確実に絶縁保護して安全性を向上できる。軽量で、かつ、引張強度が高く、取り扱い容易で使い勝手が良い。引留碍子４２の形状やサイズが異なる場合であっても、その周囲を被覆でき、複数種類の電気設備にも対応して、感電事故を防止できる。
【００１７】
また、電気設備に取付けて感電のリスクを低減するための絶縁防護具に於て、２．０ｍｍ〜３．０ｍｍの厚さ寸法ｔ２に設定され、絶縁性発泡体４をもって構成され、電気設備に着脱自在としたので、十分な厚さ寸法を確保しつつ柔軟（フレキシブル）で、電気設備に容易に取付けることができ、電気設備を確実に絶縁保護して安全性を向上できる。軽量で、取り扱い容易であり、使い勝手が良い。
【００１８】
また、電気設備に取付けて感電のリスクを低減するための絶縁防護具に於て、２．０ｍｍ〜３．０ｍｍの厚さ寸法ｔ２に設定され、周方向の１箇所で離間して弾発的に拡開自在とした筒状の絶縁性発泡体４をもって構成され、電気設備に外嵌状に着脱自在としたので、十分な厚さ寸法を確保しつつ柔軟（フレキシブル）で、低圧引込線４１や送電線４９等の電線に取付けることができ、電気設備を確実に絶縁保護して安全性を向上できる。軽量で、取り扱い容易であり、使い勝手が良い。電線の径が異なる場合であっても、その周囲を外嵌状に被覆でき、感電事故を防止できる。
【符号の説明】
【００１９】
１  外皮
２  可撓性発泡体
３  絶縁性シート体
４  絶縁性発泡体
ｔ１  厚さ寸法
ｔ２  厚さ寸法
【図１】
2015080371.tif 000003
【図２】
2015080371.tif 000004
【図３】
2015080371.tif 000005
【図４】
2015080371.tif 000006
【図５】
2015080371.tif 000007